(57)【要約】      （修正有）【課題】その包装を解かずとも、外装ケースに収納されたＬＰ等を出し入れすることが可能なフィルム製の方形状袋体を提供する。【解決手段】前面シート１２ｆと後面シート１２ｒからなるフィルム製袋体であって、前記後面シート１２ｒの一部が延設されてなる開閉可能な装入口封止用の開閉蓋１４を有し、該装入口のいずれか一方の側縁にＬＰ等を出し入れするための開口部１５ａもしくは１５ｂが設けられているフィルム製の方形状袋体とする。【選択図】図１
2007176574.tif 000002
【特許請求の範囲】
【請求項１】
樹脂フィルムからなる略方形状の袋体であって、被包装物を装入するための装入口側に該装入口を開閉する開閉蓋が延設され、前記装入口のいずれか一方の側縁に前記被装入物内の収納物を出し入れするための開口部が設けられていることを特徴とするフィルム製袋体。
【請求項２】
ＬＰ、ＣＤ等の略円盤状の情報記録媒体が収納される略方形状のケースを包装する請求項１に記載の袋体であって、前記開口部の開口長さは前記情報記録媒体の直径寸法より大きく、前記ケースの短辺の長さよりも小さいことを特徴とするフィルム製袋体。
【請求項３】
前記樹脂フィルムに紫外線吸収機能を有するフィルムがラミネートされるか、または前記樹脂フィルム表面に紫外線吸収剤が塗布されてなることを特徴とする請求項１または２に記載のフィルム製袋体。
【発明の詳細な説明】
【技術分野】
【０００１】
本発明は、フィルム製袋体に関し、更に詳しくは、特にレコード、コンパクトディスク等の情報記録媒体が外装ケースに収納されたものを包装するのに好適に用いられるフィルム製袋体に関するものである。
【背景技術】
【０００２】
従来一般に知られている、アナログレコード（以下「ＬＰ」という）、コンパクトディスク（以下「ＣＤ」という）、デジタルビデオディスク（以下「ＤＶＤ」という）等の情報記録媒体は、透明の硬質樹脂製のケースや、硬質紙等を用いた袋状の外装ケースに収納されている。
【０００３】
例えば硬質樹脂製のケースは図５（ａ）に示されるように、ボトム５０と、トレイ５２と、ボトム５０に対して回転可能に設けられたリッド５４の三部品からなっており、トレイ５２に形成された突起５１をディスク中央の孔に挿通してディスク１００を固定するものが一般的である。
【０００４】
また紙製ケースは図５（ｂ）に示されるように、硬質紙を折り畳む等して、袋状または筒状の収納部５６を構成したものである。収納物であるディスク１００は硬質紙で形成された外装ケースの収納部５６へ、非常に幅の小さい収納口５８から差し込むようにして収納される。なお、通常このような紙製外装ケースは、二枚の硬質紙が互いに押圧をかけながら、挟み込むようにディスク１００を収納、保持することから、収納口５８に脱落防止の蓋等は付属されておらず完全に開放されており、出し入れが容易であることが大きな特徴である。
【０００５】
ところで、前述した情報記録媒体、特にＣＤ、ＤＶＤ等は、上記硬質樹脂製のケースに収納されるものが多いが、近年、音楽用ＣＤ、映画用ＤＶＤ等においてはその作品性を高めるため、嗜好を凝らした外装ケースを用いたものが多く市場に供されており、上記紙製ケースに収納されるものも増えている。また、古くからの音楽記憶媒体として広く一般に知られており、その希少価値が高まってきているＬＰはほとんどがこの紙製ケースに収納されている。これらはＬＰ自体だけでなく、その外装ケース自体にも価値があるものが多い。
【０００６】
このような事情から、これらＬＰ等の所有者は、上記外装ケースにＬＰ等を収納し、その収納物を保護するだけでなく、外装ケースをも保護したいと考えるのが通常である。そのため、ＬＰ等が収納された外装ケースをさらにフィルム製袋体で包装し、保管している所有者は非常に多い。
【０００７】
このような外装ケースを包装する従来型のフィルム製袋体の構造を図６に示す。本フィルム袋体は側縁６８ａ，６８ａ及び底部６８ｂが封止された袋部６０と、開閉蓋６２からなる。被包装物が収納口６４から図中の矢印の方向から装入されたあと、開閉蓋６２を折り曲げ、貼着部６６に貼着させることにより収納口６４を封止し、被包装物が包装されるものである。
【発明の開示】
【発明が解決しようとする課題】
【０００８】
しかしながら、このような従来型のフィルム製袋体を使用し、ＬＰ等を保管している場合、記録された音楽等を聴く時には、上記フィルム製袋体からＬＰ等が納められた外装ケースを出したうえ、さらにその外装ケースからＬＰ等を出さねばならない。加えて使用後に収納するため、取り出した場合と同様の手間がかかるため、使用者にとって非常に煩わしいという問題がある。
【０００９】
しかも、従来型のフィルム製袋体では、使用する都度その開閉蓋６２を何度も開閉しなければならず、使用を重ねるとすぐに貼着部６６の粘着性が低下し封止不可能となることや、袋体の多くはけっして強度のあるものではないことから、破損し外装ケースを包装できなくなってしまうという問題もある。
【００１０】
そこで本発明が解決しようとする課題は、ＬＰ等の情報記録媒体が収納された、収納口が完全に開放されている出し入れ容易な外装ケースを包装する袋体であって、その包装を解かずとも外装ケースに収納されたＬＰ等を出し入れすることが可能なフィルム製の方形状袋体を提供することにある。
【課題を解決するための手段】
【００１１】
上記課題を解決するために本発明に係るフィルム製袋体は、樹脂フィルムからなる略方形状の袋体であって、被包装物を装入するための装入口側に該装入口を開閉する開閉蓋が延設され、前記装入口のいずれか一方の側縁に前記被装入物内の収納物を出し入れするための開口部が設けられていることを要旨とするものである。  
【００１２】
また、本発明に係るフィルム製袋体は、ＬＰ、ＣＤ等の略円盤状の情報記録媒体が収納される略方形状のケースを包装する請求項１に記載の袋体であって、前記開口部の開口長さは前記情報記録媒体の直径寸法より大きく、前記ケースの短辺の長さよりも小さいことを要旨とするものである。
【００１３】
また、前記フィルム製袋体は、前記樹脂フィルムに紫外線吸収機能を有するフィルムがラミネートされるか、または前記樹脂フィルム表面に紫外線吸収剤が塗布されてなることが望ましい。
【発明の効果】
【００１４】
本発明に係るフィルム製袋体によれば、ＬＰ等が収納されているケースが、前述した紙製外装ケースに代表される、収納口の常に開口された出し入れ容易な外装ケースである場合には、常に外装ケースを傷、汚れ等から保護するために包装しながら、収納された包装を解くことなく、使用時には容易に内容物であるＬＰ等を出し入れできる利点がある。
【００１５】
さらに、上記の利点を考慮すると、本発明に係るフィルム製袋体を用いれば、ＬＰ等の使用の都度、袋体の開閉蓋を開閉する必要が無くなるため、使用を重ねると貼着部の粘着性が低下し封止不可能となることや、フィルムが破損し外装ケースを包装できなくなってしまうということがほとんどない。
【００１６】
また、本発明に係るフィルム製袋体の開口部の開口長さが、ＬＰ等情報記録媒体の直径寸法よりも大きく、その外装ケースの短辺よりも小さいフィルム製袋体で包装したとすれば、その開口部からＬＰ等が収納された外装ケースが脱落することがないため、より好適な包装状態を保つことができる。
【００１７】
さらに、請求項３に係るフィルム製袋体で包装したとすれば、紫外線カット機能を有するため、長時間の保存においても、被包装体を太陽光などからの紫外線による色あせ、変形等から守ることができる。
【発明を実施するための最良の形態】
【００１８】
以下に本発明の一実施の形態を図面を参照して詳細に説明する。図１は、本発明の一実施の形態に係るＬＰが収納された外装ケースのフィルム製袋体の外観を示しており、図１（ａ）は、本発明の第一実施形態に係るフィルム製袋体１０ａであり、図１（ｂ）は、第二実施形態に係るフィルム製袋体１０ｂの外観図である。
【００１９】
第一実施形態に係るフィルム製袋体１０ａは、図１（ａ）に示すように、略方形状に成形された袋体であって、被包装物を装入するための装入口１８を有する。またフィルム製袋体１０ａは、前面シート１２ｆおよび後面シート１２ｒで構成されており、後面シート１２ｒの一部が装入口１８より延設されてなる開閉蓋１４を有し、前面シート１２ｆの外表面には装入口１８付近に粘着剤が塗布された貼着部１６を有する。そして袋体を構成する一方（図中下方）の側縁が前記装入口１８と連なって完全に開放された開口部１５ａを備える。
【００２０】
また、図１（ｂ）に示す第二実施形態に係るフィルム製袋体１０ｂは、上記第一実施形態に係るフィルム製袋体１０ａとほぼ同様の構成からなる。ただし、図１（ａ）のフィルム製袋体１０ａの開口部１５ａが、側縁が完全に開口され、装入口１８と連通しているのに対し、図１（ｂ）のフィルム製袋体１０ｂは、前記装入口１８とはその側縁の一部１９Ｈが封止されることにより仕切られており、また底辺側端縁も側縁の一部１９Ｌで封止されており、外装ケースに収納されたＬＰの直径よりも大きく、包装される外装ケースの短辺よりも小さい開口部１５ｂを持つ点で異なる。
【００２１】
なお、本発明に係るフィルム製袋体１０ａ，１０ｂに使用されるフィルムは、被包装物が視認できる透明または半透明の合成樹脂フィルムが好ましく、具体例としては、ポリエチレン、ポリプロピレン等のポリオレフィン樹脂、ポリブチレンテレフタレート、ポリエチレンテレフタレート等のポリエステル樹脂等が挙げられる。また、それら合成樹脂フィルムは、袋体の強度を考慮し２軸延伸フィルムを使用するのが好ましい。さらに、使用するフィルムは、透明もしくは半透明であれば着色されていても良いし、同種あるいは異種のフィルムを複数枚積層しても良い。
【００２２】
さらに、本発明に係る袋体の貼着部１６に塗布される粘着剤としては、例えば天然ゴム系粘着剤、合成ゴム系粘着剤、アクリル樹脂系粘着剤、ポリビニルエーテル樹脂系粘着剤、ウレタン樹脂系粘着剤、シリコーン樹脂系粘着剤などが挙げられる。なお、これらの粘着剤は一種を単独で用いても良いし、複数を組み合わせて用いても良い。
【００２３】
また、本実施形態にかかるフィルム製袋体１０ａを構成するフィルムが、紫外線カット機能を有していればさらに好ましい。紫外線カット機能は、フィルムを形成する樹脂にベンゾフェノン系、ベンゾトリアゾール系、サリチル酸系、シアノアクリレート系化合物等の紫外線吸収剤を含有したフィルムを基材となるフィルムにラミネートしても良いし、これらの化合物を基材となるフィルムに塗布しても良い。
【００２４】
次に、図２にこのフィルム製袋体１０ａの製造方法の一例を示す。図に示すように、本製造方法は以下の工程からなる。まず長尺の樹脂フィルムがロール状に巻かれた樹脂フィルムロール体２０から、原料フィルムを製造ラインと直角に引き出し搬送する（ａ工程）。その引き出された原料フィルムを、三角板２２等を使用して中心を若干ずらせて折り込み、前面シート１２ｆ及び後面シート１２ｒを形成する（ｂ工程）。なおこのように中心を若干ずらせて折り込んだのは、本フィルム製袋体の装入口の開閉蓋１４となる部分を確保するためであり、必要な開閉蓋１４の大きさに応じて適宜折り込み代の大きさを変えればよい。また完成品のシワ、溶着不良等防止のため、溶着を行う位置より上流位置において、ローラ２４ａ、２４ｂを用いてフィルムを押圧し、前面シート１２ｆ及び後面シート１２ｒの両者を密着させておくことが望ましい（ｃ工程）。ついで、製造する袋の大きさに応じて、長手方向において一定間隔で樹脂フィルムシートの前面シート１２ｆ及び後面シート１２ｒをホーン２６ａ、アンビル２６ｂで超音波溶着（もしくは熱溶着等）する（ｄ工程）。この溶着部が本フィルム製袋体１０ａの閉塞された側縁部を形成する。その後貼着部１６となる粘着層をローラ２８などを用いて塗布する（ｅ工程）。さらにその後の切断工程で溶着部と若干ずらしてカットすることで、製品が完成すると共にフィルム製袋体１０ａの開口部１５ａが形成される（ｆ工程）。なお第二の実施形態に係るフィルム製袋体１０ｂは、この工程の後、開口部１５ａの一部を溶着することで封止し、必要な開口部１５ｂを適宜設ければよい。
【００２５】
本発明に係るフィルム製袋体１０ａ，１０ｂの製造方法は、上記手法に限られるものではない。例えば、折り込み工程は三角板で行うものに限定されるわけではないし、一枚の原料樹脂フィルムシートを折り込むのではなく、二枚の原料シートを重ね合わせて底部、側辺部を共に溶着させて形成しても良い。また、最初の製造工程で装入口以外の三辺が閉塞された従来型のフィルム製袋体を製造し、後工程で袋部の側辺部の一方を適宜開口しても良い。さらに、粘着剤層塗布工程は、溶着工程の前に設けても良いし、別工程としても良い。
【００２６】
以上のように構成されるフィルム製袋体１０ａを、ＬＰの包装に適用すると図３に示すようになる。まず図３（ａ）及び（ｂ）に示される通り、収納物であるＬＰ３０は硬質紙で形成された外装ケース３２の収納部３４へ、収納口３６から差し込むようにして収納される。なお、このＬＰ外装ケース３２は、本発明に係るフィルム製袋体１０ａで包装するのに好適である収納口３６が完全に開放されている硬質紙製外装ケースである。また本発明の趣旨とは直接関わりが無いので図示しなかったが、このような紙製外装ケースの場合、通常はナイロン、ポリプロピレン等の長繊維からなる不織布等でＬＰ等の情報記録面を保護した状態でケースに収められるか、もしくはケース収納部の内部に、不織布等が貼り付けられその情報記録面が保護される。
【００２７】
次に図３（ｃ）に示す通り、ＬＰ３０が収納された外装ケース３２は、第一の実施形態に係るＬＰフィルム製袋体１０ａの袋部へ装入口１８より装入され、その後、図３（ｄ）のように、フィルム製袋体１０ａの開閉蓋１４を折り畳み、粘着部１６へ貼着させることにより、装入口１８は封止される。なお包装の際、本フィルム製袋体１０ａの開口部１５ａと、外装ケースの収納口３６の位置が一致するように包装する。
【００２８】
上記のように包装することで、通常のフィルム製袋体で包装した場合には閉塞してしまうＬＰ外装ケース３２の収納口３６からの取り出し通路が、本フィルム製袋体１０ａの開口部１５ａにより確保されることとなる。したがって、図３（ｅ）に示す通り、本フィルム製袋体１０ａに包装され、ＬＰ外装ケース３２を保護した状態のまま、ＬＰ３０が出し入れ可能となる。
【００２９】
つまり、ＬＰ３０を再生等するだけであれば、フィルム製袋体１０ａの開閉蓋を開けることはないため、貼着部の粘着力の低下や、破損による使用不能状態になることはほとんど無くなることとなる。
【００３０】
また、第二の実施形態に係るフィルム製包装体１０ｂで包装する場合も、上記と同様の手順で行う。このフィルム製袋体１０ｂで包装した場合における、開口部付近の包装状態の詳細図を図４に示す。
【００３１】
図に示す通り、フィルム製袋体１０ｂの開口部１５ｂは、その外装ケース３２の短辺の寸法よりも小さく設定されていることにより、外装ケース３２は開口部１５ｂより脱落することはない。さらに、開口部１５ｂはＬＰ３０の直径寸法よりも大きく設定されていることにより、ＬＰ３０は図のように出し入れ可能となる。これにより、包装状態でありながらＬＰ等の収納物の出し入れが可能であるという、本発明の目的である機能が担保されると共に、包装時に外装ケースがフィルム製袋体の開口部から脱落することもなく、包装用袋としての機能をより一層高めることができる。
【００３２】
なお、上記実施形態では包装された外装ケース３２の脱落防止機能を高めるため、９Ｈ，９Ｌの２箇所を封止しているが、装入を容易にするため、装入口側の９Ｈを開口して開口部と装入口と一体化し、底部側の９Ｌのみを封止しても良い。
【００３３】
さらに、本実施形態に係るフィルム製袋体１０ａ，１０ｂを構成するフィルムが、前述したポリエチレン、ポリプロピレン等のフィルムを基材フィルムとして、紫外線カット機能を持つフィルムを積層するか、紫外線吸収剤を基材フィルムに塗布すれば、包装材としての被包装物の保存機能をさらに高めることができる。
【００３４】
このように、本発明にかかるフィルム製袋体１０ａ，１０ｂによれば、ＬＰを再生するために取り出すだけであれば、フィルム製袋体の包装を解く必要が無く、ＬＰの所有者にとって煩わしいフィルム製包装体の開閉作業がほとんどなくなることとなる。それと共に、開閉作業による粘着部の粘着力低下、袋部自体の破損等もほとんど発生しないこととなる。さらに、上記紫外線カット機能を備えれば、長期間の保存による色あせ等の外装ケースの劣化をも防止することができる。
【００３５】
またＬＰ等を購入した所有者だけでなく、例えば最近数多く見られるようになった、希少価値の高いＬＰを多数取り扱う中古レコード店などの多くは、店頭陳列の際に紙製外装ケースを保護するため、フィルム製袋体により包装している。その中古という商品の性格上、来店客はケースに収められたＬＰ自体に傷、汚れ等がないか確認したいと思うのが通常であるが、その傷等を判断するためには、従来型のフィルム製袋体であれば包装を解かねばならず、来店客にとっては非常に不便であった。また店側にとってみても、来店客が出し入れする際に外装ケースが袋体の粘着部に付着し、損傷してしまうというおそれがあった。
【００３６】
しかし、本発明に係るフィルム製袋体を使用すれば、商品を傷汚れ等から保護するため包装しながら、その包装を解くことなく、収納物のＬＰ等自体の状態を実際に見て確認することができることとなるため、来店客にとっては商品を選ぶ際に非常に都合が良い。また店側にとってみても、来店客の商品出し入れ時に外装ケースが袋体の粘着部に付着し、損傷することがないという利点がある。さらに、紫外線吸収機能を付加すれば、紫外線による商品の劣化を防止することもできる。
【００３７】
以上、本発明の実施の形態について詳細に説明したが、本発明は上記実施の形態に何ら限定されるものではなく、本発明の要旨を逸脱しない範囲で種々の改変が可能である。例えば前期実施形態においては、紙製外装ケースに収納されたＬＰについて説明したが、このような収納口が開放された外装ケースであれば、その材質、大きさ等、種類を問うものではない。また収納物はＬＰだけでなく、ＣＤ、ＤＶＤ等他の情報記録媒体についても本実施形態の技術思想を適用することができる。さらに、収納物は情報記録媒体に限られず、写真、葉書等はフィルム製袋体の大きさを適宜変えて、本実施形態の技術思想を適用できることは言うまでもない。  
【図面の簡単な説明】
【００３８】
【図１】本発明の一実施形態に係るＬＰ外装ケースのフィルム製袋体の外観斜視図である。
【図２】ＬＰ外装ケースのフィルム製袋体の製造工程の一例である。
【図３】本発明の第一の実施形態に係るＬＰ外装ケースのフィルム製袋体を用いて、ＬＰを収納する一連の流れの詳細を示した斜視図である。
【図４】本発明の第二の実施形態に係るＬＰ外装ケースのフィルム製袋体により包装した場合の開口部の拡大図である。
【図５】ＬＰ、ＣＤ等の情報記録媒体が収納される外装ケースの一例を示した斜視図である。
【図６】既存のフィルム製袋体の外観概略図である。
【符号の説明】
【００３９】
１０ａ，１０ｂ  フィルム製袋体
１４            開閉蓋
１８            装入口
１５ａ，１５ｂ  開口部
３０            ＬＰ（情報記録媒体）
３２            外装ケース  
【図１】
2007176574.tif 000003
【図２】
2007176574.tif 000004
【図３】
2007176574.tif 000005
【図４】
2007176574.tif 000006
【図５】
2007176574.tif 000007
【図６】
2007176574.tif 000008